(57)【特許請求の範囲】
【請求項１】
互いに上下に密接して巻取り可能なひも体と、
前記ひも体の一端を保持した状態で巻取り引出し自在の巻き取り支柱と、
前記ひも体を前記巻き取り支柱から引出して前記ひも体の他端を頂部に取り付け可能な端部支柱と、
を備え、
前記巻き取り支柱は前記ひも体の一端を保持した状態で巻取り引出し自在の巻き取り部を有し、
前記巻き取り部は、
前記ひも体の前記一端を固定して巻き取り可能なドラムと、
前記ドラムの回転シャフトと、
前記ドラムと前記回転シャフトとを片方向にのみ互いに一体的に連動させるワンウェイクラッチと、
前記回転シャフトに対し取り付け取り外し自在に前記回転シャフトを回転させるハンドルと、
前記ハンドルを前記回転シャフトに対し取り付け前記ひも体を巻取る方向に前記回転シャフトを回転させる場合に前記ドラムと前記回転シャフトとを一体的に連動させ、前記ハンドルを前記回転シャフトに対し取り付け前記ひも体を引出す方向に前記回転シャフトを回転させる場合に前記ドラムを前記回転シャフトと連動させないワンウェイクラッチと、
を有する
ることを特徴とするワイヤー式ゲート。
【請求項２】
前記巻き取り部は、
前記ひも体を間に挟み前記ひも体の巻取り引出しを案内する一対のガイドローラを有することを特徴とする請求項１に記載のワイヤー式ゲート。
【請求項３】
前記巻き取り部は、
前記回転シャフトに前記ドラムの回転を抑制するＯリングが装着されていることを特徴とする請求項１に記載のワイヤー式ゲート。
【請求項４】
前記巻き取り部は、内部を遮蔽可能に覆い開閉可能なカバー体を有することを特徴とする請求項１に記載のワイヤー式ゲート。
【請求項５】
前記巻き取り支柱と前記端部支柱との間に配設され前記ひも体を中継可能な少なくとも１本の中間支柱を有することを特徴とする請求項１に記載のワイヤー式ゲート。
【発明の詳細な説明】
【０００１】
【発明の属する技術分野】
本発明は、ひも等のワイヤーを用いたワイヤー式ゲートに係り、車両や人の出入りを規制するワイヤー式ゲートに関する。
【０００２】
【従来の技術】
外部の人の車両や人の出入りを規制するために、ポールを立てステンレス製のチェーンを架設するチェーン式ゲートが知られている。
【０００３】
【発明が解決しようとする課題】
しかしながら、金属材等の鎖（チェーン）をポール間に架設しないときには、チェーンを地面に放置しており、外観上、好ましくなかった。
【０００４】
また、チェーンをポール間に架設しないときにはチェーンを地面に放置して使用されるので、放置して使用可能なチェーンの長さに限度があり、例えば３０ｍ等のように長い範囲に渡って架設可能なチェーンを使用することはできなかった。
【０００５】
また、チェーンは単にポールの頂部間に架け渡されているだけであったので、チェーンの自重で撓み、外観上、好ましくなかった。
【０００６】
そこで本発明の目的は、上記従来技術の有する問題を解消し、不使用においてひも体を簡易に巻き取り収容可能なワイヤー式ゲートを提供することである。
【０００７】
【課題を解決するための手段】
上記目的を達成するために、本発明のワイヤー式ゲートは、互いに上下に密接して巻取り可能なひも体と、前記ひも体の一端を保持した状態で巻取り引出し自在の巻き取り支柱と、前記ひも体を前記巻き取り支柱から引出して前記ひも体の他端を頂部に取り付け可能な端部支柱と、を備え、前記巻き取り支柱は前記ひも体の一端を保持した状態で巻取り引出し自在の巻き取り部を有し、前記巻き取り部は、前記ひも体の前記一端を固定して巻き取り可能なドラムと、前記ドラムの回転シャフトと、前記ドラムと前記回転シャフトとを片方向にのみ互いに一体的に連動させるワンウェイクラッチと、前記回転シャフトに対し取り付け取り外し自在に前記回転シャフトを回転させるハンドルと、前記ハンドルを前記回転シャフトに対し取り付け前記ひも体を巻取る方向に前記回転シャフトを回転させる場合に前記ドラムと前記回転シャフトとを一体的に連動させ、前記ハンドルを前記回転シャフトに対し取り付け前記ひも体を引出す方向に前記回転シャフトを回転させる場合に前記ドラムを前記回転シャフトと連動させないワンウェイクラッチと、を有するることを特徴とする。
【０００９】
また、前記巻き取り部は、前記ひも体を間に挟み前記ひも体の巻取り巻引しを案内する一対のガイドローラを有することを特徴とする。
【００１０】
また、前記巻き取り部は、前記回転シャフトに前記ドラムの回転を抑制するＯリングが装着されていることを特徴とする。
【００１１】
また、前記巻き取り部は、内部を遮蔽可能に覆い開閉可能なカバー体を有することを特徴とする。
【００１２】
また、前記巻き取り支柱と前記端部支柱との間に配設され前記ひも体を中継可能な少なくとも１本の中間支柱を有することを特徴とする。
【００１３】
上述の発明において、巻き取り支柱はひも体を巻き取り可能であるので、出入口や侵入規制区域等の間口を開放する場合にひも体を地面に放置しておくこと無く、ひも体の巻き取りが可能になる。ひも体は互いに上下に密接して巻取り可能なもので形成されているので、かなりの長さが要する場合であっても、巻かれた状態がそれほど大きくならないようにできる。ここで、ひも体が互いに上下に密接して巻取り可能であるとは、巻かれるひも体の互いの間に大きな隙間が形成されずに上下左右に密接して巻き取ることが可能であることをいう。
【００１４】
巻き取り部は、ひも体の一端を固定して巻き取り可能なドラムと、ドラムの回転シャフトと、ドラムと回転シャフトとを片方向にのみ互いに一体的に連動させるワンウェイクラッチと、回転シャフトに対し取り付け取り外し自在に前記回転シャフトを回転させるハンドルと、を有するので、ひも体の巻き取り引出しの良好な操作性を確保することができる。
【００１５】
【発明の実施の形態】
以下に図面を参照して本発明のワイヤー式ゲートの実施の形態について説明する。
【００１６】
図５に示すように、ワイヤー式ゲート１は、巻き取り支柱２と、巻き取り支柱２に並んで立設される中間支柱３と、中間支柱３に並んで立設される端部支柱４と、巻き取り支柱２、中間支柱３及び端部支柱４の頂部に架け渡されるひも体５とを備えている。ここで、ひも体５は、金属材等の鎖（チェーン）等と異なり、例えば、金属製のワイヤーや編みひも等のロープのように、互いに上下に密接して巻取り可能なものをいう。ここでは、ひも体５として樹脂被覆付きワイヤー、トラひも等が好適である。
【００１７】
図１に示すように、巻き取り支柱２の支柱パイプ１１の頂部には、ひも体５の一端を保持した状態で巻取り巻出し自在の巻き取り部１０が設けられている。
【００１８】
図１乃至図４に示すように、巻き取り部１０は、ひも体５の一端を固定して巻き取り可能なドラム１２と、ドラム１２の回転シャフト１３と、ドラム１２と回転シャフト１３とを片方向にのみ互いに一体的に連動させるためのワンウェイクラッチ１６と、回転シャフト１３の両端のハンドル受け部１３ａに取り付け取り外し自在のハンドル１７と、ひも体５を間に挟みひも体５の巻取り巻出しを案内する一対のガイドローラ１８と、ドラム１２等を収容するハウジング１９と、ハウジング１９の上部に開閉可能に取り付けられ内部を遮蔽可能に覆うカバー２０と、ワンウェイクラッチ１６等が収納される円筒部２１を開閉する横カバー２２と、円筒部２１に設置された押しボタン錠２３と、押しボタン錠２３を施錠するキー２４とを備えている。
【００１９】
ハウジング１９には軸受け２７、２９が設けられ、回転シャフト１３は軸受け２７に回転可能に支持されている。回転シャフト１３の一端側にはラチェット１４が固着されており、ラチェット１４に近傍にラチェット１４に係合し回転シャフト１３の回転を許可したり禁止したりするラチェット爪１５が配設されている。ラチェット爪１５は、キー２４を押しボタン錠２３に差し込み操作することによってラチェット１４との係合が制御される。
【００２０】
回転シャフト１３の他端側にはブレーキ用の２個のＯリング２８が装着されている。Ｏリング２８の外周部が軸受け２９の円筒状のブレーキ面に摺動する。この結果、ドラム１２はＯリング２８によるブレーキ作用を受けながらハンドル１７の操作性と引出し速度とになじみながら適度の早さで回転可能になる。
【００２１】
カバー２０はハウジング１９にビス３０，３１によって取り付けられている。カバー２０は、図４に示すようにビス３１を回転支点として回動自在であり、ビス３０によってカバー２０のハウジング１９に対する開け閉めを設定している。
【００２２】
図３に示すように、ひも体５の一方の端部はドラム１２に形成された貫通孔１２ａに通され、ビス３３でひも体５を締め付けることによって固定されている。
【００２３】
巻き取り支柱２、中間支柱３及び端部支柱４の支柱パイプ１１等の上部には反射テープ３５がビス３４を介して装着されており、反射光を視認することによってワイヤー式ゲート１の存在を容易に認識できるようになっている。
【００２４】
図６に示すように中間支柱３の頂部には楕円状に開口された軸受け２７、２９が形成されており、図５に示すようにひも体５は係留部３ａの孔を通されて端部支柱４に渡される。
【００２５】
また、図７に示すように端部支柱４の頂部にはＵ字状に開口された終端部４ａが形成されており、ひも体５の端部に形成されたループ部５ａが終端部４ａに架けられるようになっている。ループ部５ａが終端部４ａのＵ字の一方に架けられ後に、ロックピン４１が終端部４ａに形成された２個の孔の間に通され、シリンダー錠４２でロックピン４１の一端部に施錠されると、ループ部５ａは終端部４ａから無断に外すことができないように構成されている。
【００２６】
図８に、巻き取り支柱２、中間支柱３及び端部支柱４の配置形態を示す。図８（ａ）は、中間支柱３を用いず、巻き取り支柱２と端部支柱４とを直線型に配置した例を示す。図８（ｂ）は、巻き取り支柱２と中間支柱３と端部支柱４とをＬ型に配置した例を示す。図８（ｃ）は、巻き取り支柱２と２個の中間支柱３と端部支柱４とをＣ型に配置した例を示す。
【００２７】
次に、ワイヤー式ゲート１の作用について説明する。
ひも体５を巻き取り部１０から引き出し、出入口や侵入規制区域等の間口を区分するにおいて、使用者はキー２４とハンドル１７を持ち、巻き取り部１０を操作する。ハンドル１７の操作は回転シャフト１３の両端のどちらにでも取り付けることができる。最初にキー２４を押しボタン錠２３に差し込み、右側に９０°回してキー２４を押し込むと、ラチェット１４からラチェット爪１５が外れる。キー２４を押したまま左側に９０°回すとラチェット１４からラチェット爪１５が外れたままで固定できる。
【００２８】
使用者はひも体５を手で持ち、歩きながらドラム１２からガイドローラ１８を介して引き出す。このとき、ドラム１２と回転シャフト１３とは一体となり回転する。この場合、ワンウェイクラッチ１６は接続状態にあり回動可能な方向に作用している。ドラム１２が慣性で必要以上に自由に回らないように回転シャフト１３にブレーキ用の２個のＯリング２８が装着されているので、Ｏリング２８と軸受け２９との間に軽いブレーキ抵抗が生じる。
【００２９】
使用者はひも体５を中間支柱３の係留部３ａの孔を通し、端部支柱４の終端部４ａのＵ字の一方にループ部５ａをはめる。ロックピン４１を通しシリンダー錠４２をかけて、ひも体５を外れない状態にする。
【００３０】
使用者は、巻き取り支柱２の側へ戻り、キー２４を前記の操作と反対操作を行いラチェット爪１５が効いた状態に戻す。次に、ハンドル１７を回転シャフト１３に差し込み巻き方向に回すと、ひも体５が張った状態になり、ラチェット１４の機能によりひも体５を張った状態で固定することができる。
【００３１】
ハンドル１７を誤って反対に回しても、ワンウェイクラッチ１６の空転方向となるため、ドラム１２は回らない。
【００３２】
ハウジング１９に設けられた一対のガイドローラ１８の間をひも体５が通っている。ループ部５ａを持って適当に左右に動かすことによって、ひも体５がドラム１２に片寄って巻かれようとした場合に片寄らないように修正することができる。
【００３３】
次にひも体５が張れた状態で、ハンドル１７とキー２４を外すと、巻取り操作が完了する。
【００３４】
次に、ひも体５を巻き取り部１０に収納し、出入口や侵入規制区域等の間口を開放する場合について説明する。
【００３５】
使用者はキー２４とハンドル１７を持ち、巻き取り部１０を操作する。最初にキー２４を押しボタン錠２３に差し込み、右側に９０°回してキー２４を押し込み、左側に回すとキー２４は固定される。
【００３６】
キー２４を押し込んだ時、ラチェット爪１５が外れ、ひも体５はゆるみ、地面についた状態となる。使用者はこの状態で端部支柱４へ行き、ロックピン４２を外し、ひも体５のループ部５ａを終端部４ａから外しひも体５を地面に置く。
【００３７】
この状態で再度巻き取り支柱２に戻り、ハンドル１７を回転シャフト１３に差し込み、巻取り方向に回し、ひも体５を巻き取る。この時、誤って反対側に回しても、ワンウェイクラッチ１６の機能によりドラムは回転しない。
【００３８】
ひも体５を巻き取り終えると、キー２４操作でラチェット爪１５を効いた状態に戻し、キー２４を抜き、ハンドル１７を外し、ひも体５の巻き取りが完了となる。
【００３９】
次に、ひも体５の交換方法あるいはメンテナンス性について説明する。
ワイヤーやトラロープ等のひも体５は長期使用においては損傷等により交換が必要になる。この場合、カバー２０の後部の止めビス３０を外し、カバー２０を手で回転させると、ドラム１２やひも体５が露出した状態となる。
【００４０】
図３に示したひも体５の固定と同様に、押えビス３３をゆるめてひも体５を抜き、新しいひも体５をはめ込んで押えビス３３を締め、止めビス３０を締めれば交換操作が完了する。これによって、使用者は、良好なメンテナンス性を得ることができる。
【００４１】
以上説明したように、本実施の形態によれば、巻き取り支柱２は巻き取り部１０を備えているので、ひも体５は巻き取り部１０に巻き取ることができ、従来のように金属材等の鎖（チェーン）をポール間に架設しないときに地面に放置しておくことを無くすることができる。
【００４２】
また、ひも体５は、金属材等の鎖（チェーン）等と異なり、金属製のワイヤーや編みひも等のロープのように、互いに上下に密接して巻取り可能なもので形成されているので、ひも体５が例えば３０ｍ等とかなりの長さが要する場合であっても、巻かれた状態がそれほど大きくならないようにしてドラム１２に巻き付けることが可能になる。
【００４３】
また、出入口や侵入規制区域等の間口を開放する場合に、ひも体５は地面に放置して使用されるのでなく巻き取り部１０に巻き取られるので、例えば３０ｍ等のように長い範囲に渡って架設可能なひも体５を使用することができる。
【００４４】
また、出入口や侵入規制区域等の間口を閉じる場合に、ひも体５は巻き取り部１０によって張りつめた状態に保持することができるので、自重で撓んだ状態に放置されることを無くすることができる。
【００４５】
【発明の効果】
以上、詳細に説明したように、本発明の構成によれば、出入口や侵入規制区域等の間口を開放する場合にひも体を巻き取り部に巻き取ることができ、地面に放置しておくことを無くすることができ、この結果、長い範囲に渡って架設可能なひも体を使用することができる。
【００４６】
また、ひも体は、互いに上下に密接して巻取り可能なもので形成されているので、巻かれた状態がそれほど大きくならないようにして巻き取り部に巻き付けることが可能になる。
【００４７】
また、出入口や侵入規制区域等の間口を閉じる場合に、ひも体は巻き取り部によって張りつめた状態に保持することができるので、自重で撓んだ状態に放置されることを無くすることができる。
【図面の簡単な説明】
【図１】巻き取り支柱の巻き取り部の構成を示す斜視図。
【図２】巻き取り部を示す断面図。
【図３】ひも体のドラムに固定する方法を示す斜視図。
【図４】カバーとハウジングの関係を示す平面図。
【図５】ワイヤー式ゲートが出入口や侵入規制区域等の間口を閉じる状態を示す図。
【図６】中間支柱の頂部を示す斜視図。
【図７】端部支柱の頂部を示す斜視図。
【図８】巻き取り支柱、中間支柱及び端部支柱の種々の配置パターンを示す図であり、直縦型（ａ），Ｌ字型（ｂ）及びＣ字型（ｃ）を示す。
【符号の説明】
１  ワイヤー式ゲート
２  巻き取り支柱
３  中間支柱
４  端部支柱
５  ひも体
１０  巻き取り部
１３  回転シャフト
１４  ラチェット
１５  ラチェット爪
１６  ワンウェイクラッチ
１７  ハンドル
２８  Ｏリング
【図１】
0003957966.tif 000002
【図２】
0003957966.tif 000003
【図３】
0003957966.tif 000004
【図４】
0003957966.tif 000005
【図５】
0003957966.tif 000006
【図６】
0003957966.tif 000007
【図７】
0003957966.tif 000008
【図８】
0003957966.tif 000009